【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
光源と、
前記光源の温度を検出する検出手段と、
前記光源に流す電流量と前記光源の点灯期間とを制御する制御手段と、
を備える照明装置であって、
前記制御手段は、前記検出手段により検出される温度が閾値より低い場合、前記光源に流す電流量を増加させるとともに前記光源の点灯期間を減少させる第１制御を行うことを特徴とする照明装置。
【請求項２】
前記制御手段は、前記第１制御の実行前後で前記光源の輝度が変化しないように前記第１制御における電流量の増加と点灯期間の減少を行う請求項１に記載の照明装置。
【請求項３】
前記制御手段は、前記第１制御において、前記光源の許容する最大の電流量まで電流量を増加させる請求項１または２に記載の照明装置。
【請求項４】
前記制御手段は、前記照明装置の起動時に前記第１制御を実行する請求項１〜３のいずれか１項に記載の照明装置。
【請求項５】
前記閾値は、前記照明装置の定常動作温度である請求項１〜４のいずれか１項に記載の照明装置。
【請求項６】
前記光源は、発光波長の異なる複数の発光素子から構成され、
前記制御手段は、前記発光素子に流す電流量と前記発光素子の点灯期間とを調節することにより前記発光素子の輝度を制御し、
前記制御手段は、電流量を変化させた場合の発光波長の変化が最も小さい発光素子について前記第１制御を行う請求項１〜５のいずれか１項に記載の照明装置。
【請求項７】
前記制御手段は、前記検出手段により検出される温度が閾値より高い場合、前記光源に流す電流量を減少させるとともに前記光源の点灯期間を増加させる第２制御を行う請求項１〜６のいずれか１項に記載の照明装置。
【請求項８】
前記制御手段は、前記第２制御の実行前後で前記光源の輝度が変化しないように前記第２制御における電流量の減少と点灯期間の増加を行う請求項７に記載の照明装置。
【請求項９】
前記制御手段は、前記第２制御において、前記光源の点灯期間を最大の点灯期間とする請求項７又は８に記載の照明装置。
【請求項１０】
前記光源は、発光波長の異なる複数の発光素子から構成され、
前記制御手段は、前記発光素子に流す電流量と前記発光素子の点灯期間とを調節することにより前記発光素子の輝度を制御し、
前記制御手段は、電流量を変化させた場合の発光波長の変化が最も小さい発光素子について前記第２制御を行う請求項７〜９のいずれか１項に記載の照明装置。
【請求項１１】
前記制御手段は、前記検出手段により検出される温度が閾値を含む所定の温度範囲より低い場合に前記第１制御を行い、前記検出手段により検出される温度が前記温度範囲より高い場合に前記第２制御を行う請求項７〜１０のいずれか１項に記載の照明装置。
【請求項１２】
前記温度範囲は、前記光源の温度が前記照明装置の定常動作温度である場合の前記光源の発光波長に対する前記光源の発光波長のずれが許容範囲内となる温度範囲である請求項１１に記載の照明装置。
【請求項１３】
前記制御手段は、前記第１制御又は前記第２制御の実行後、前記検出手段により検出される温度が前記温度範囲内の温度になった場合、前記光源に流す電流量と前記光源の点灯期間を前記第１制御又は前記第２制御の実行前の電流量及び点灯期間に戻す請求項１１又は１２に記載の照明装置。
【請求項１４】
前記照明装置は、複数の光源を有し、
前記検出手段は、光源毎の温度を検出し、
前記制御手段は、各光源に流す電流量と各光源の点灯期間を独立に調節可能であり、光源毎に、光源の温度に応じて前記第１制御を実行する請求項１〜６のいずれか１項に記載の照明装置。
【請求項１５】
前記複数の光源の各々は、前記照明装置を備える画像表示装置の表示領域を分割する複数の分割領域の各々に対応し、
前記制御手段は、各光源に対応する分割領域に表示される画像に応じて、光源毎に、光源の温度に応じた前記第１制御を実行するか否かを切り替える請求項１４に記載の照明装置。
【請求項１６】
前記制御手段は、光源の温度に応じた前記第１制御を実行しない光源については、点灯期間を最大にするとともに電流量を減少させる請求項１５に記載の照明装置。
【請求項１７】
前記制御手段は、対応する分割領域に表示される画像がＧＵＩを構成する画像である光源については、光源の温度に応じた前記第１制御を実行しない請求項１５又は１６に記載の照明装置。
【請求項１８】
前記照明装置は、複数の光源を有し、
前記検出手段は、光源毎の温度を検出し、
前記制御手段は、各光源に流す電流量と各光源の点灯期間を独立に調節可能であり、光源毎に、光源の温度に応じて前記第１制御又は前記第２制御を実行する請求項７〜１３のいずれか１項に記載の照明装置。
【請求項１９】
前記複数の光源の各々は、前記照明装置を備える画像表示装置の表示領域を分割する複数の分割領域の各々に対応し、
前記制御手段は、各光源に対応する分割領域に表示される画像に応じて、光源毎に、光源の温度に応じた前記第１制御又は前記第２制御を実行するか否かを切り替える請求項１８に記載の照明装置。
【請求項２０】
前記制御手段は、光源の温度に応じた前記第１制御又は前記第２制御を実行しない光源については、点灯期間を最大にするとともに電流量を減少させる請求項１９に記載の照明装置。
【請求項２１】
前記制御手段は、対応する分割領域に表示される画像がＧＵＩを構成する画像である光源については、光源の温度に応じた前記第１制御又は前記第２制御を実行しない請求項１９又は２０に記載の照明装置。
【請求項２２】
請求項１から２１のいずれか１項に記載の照明装置をバックライトとして備える
ことを特徴とする画像表示装置。
【請求項２３】
光源を備える照明装置の制御方法であって、
前記光源の温度を検出する検出工程と、
前記光源に流す電流量と前記光源の点灯期間とを制御する制御工程と、
を有し、
前記制御工程では、前記検出工程により検出される温度が閾値より低い場合、前記光源に流す電流量を増加させるとともに前記光源の点灯期間を減少させる第１制御を行うことを特徴とする照明装置の制御方法。
【請求項２４】
前記制御工程では、前記検出工程により検出される温度が閾値より高い場合、前記光源に流す電流量を減少させるとともに前記光源の点灯期間を増加させる第２制御を行う請求項２３に記載の照明装置の制御方法。
【請求項２５】
前記照明装置は、複数の光源を有し、
前記検出工程では、光源毎の温度を検出し、
前記制御工程では、各光源に流す電流量と各光源の点灯期間を独立に調節可能であり、光源毎に、光源の温度に応じて前記第１制御又は前記第２制御を実行する請求項２４に記載の照明装置の制御方法。
【請求項２６】
前記複数の光源の各々は、前記照明装置を備える画像表示装置の表示領域を分割する複数の分割領域の各々に対応し、
前記制御工程では、各光源に対応する分割領域に表示される画像に応じて、光源毎に、光源の温度に応じた前記第１制御又は前記第２制御を実行するか否かを切り替える請求項２５に記載の照明装置の制御方法。 
【手続補正２】
【補正対象書類名】明細書
【補正対象項目名】発明の名称
【補正方法】変更
【補正の内容】
【発明の名称】照明装置及びその制御方法、画像表示装置
【手続補正３】
【補正対象書類名】明細書
【補正対象項目名】０００１
【補正方法】変更
【補正の内容】
【０００１】
本発明は、照明装置及びその制御方法、画像表示装置に関するものである。 
【手続補正４】
【補正対象書類名】明細書
【補正対象項目名】０００８
【補正方法】変更
【補正の内容】
【０００８】
本発明は、光源と、
前記光源の温度を検出する検出手段と、
前記光源に流す電流量と前記光源の点灯期間とを制御する制御手段と、
を備える照明装置であって、
前記制御手段は、前記検出手段により検出される温度が閾値より低い場合、前記光源に流す電流量を増加させるとともに前記光源の点灯期間を減少させる第１制御を行うことを特徴とする照明装置である。 
【手続補正５】
【補正対象書類名】明細書
【補正対象項目名】０００９
【補正方法】変更
【補正の内容】
【０００９】
本発明は、光源を備える照明装置の制御方法であって、
前記光源の温度を検出する検出工程と、
前記光源に流す電流量と前記光源の点灯期間とを制御する制御工程と、
を有し、
前記制御工程では、前記検出工程により検出される温度が閾値より低い場合、前記光源に流す電流量を増加させるとともに前記光源の点灯期間を減少させる第１制御を行うことを特徴とする照明装置の制御方法である。